(57)【要約】【課題】飲用直前までの飲料を確実にグラス内に保持でき、かつそれぞれの使用状況に応じた印象や他の情報を飲用者や参加者に与えることのできる飲料用グラスを提供する。【解決手段】開口５を有するグラス本体１を備える飲料用グラスにおいて、当該グラスの前記開口５の全周を密閉するように、当該全周に耳片８付きシール蓋７を貼着して、前記グラス本体内に飲料を封入する。前記シール蓋７の外面に、飲用者や使用時の雰囲気に合わせた写真やイラストなどの情報を印刷すると更に好ましい。【選択図】図１
2014226520.tif 000002
【特許請求の範囲】
【請求項１】
開口を有するグラス本体を備える飲料用グラスにおいて、当該グラスの前記開口の全周を密閉するように、当該全周に耳片付きシール蓋を貼着して、前記グラス本体内に飲料を封入したことを特徴とする飲料用グラス。
【請求項２】
前記シール蓋の外面に、情報を印刷した請求項１記載の飲料用グラス。
【請求項３】
結婚披露宴で使用され、印刷された情報が新郎新婦のペア写真である請求項２に記載の飲料用グラス。
【請求項４】
誕生パーティーで使用され、印刷された情報が誕生パーティーの主賓のイラストである請求項２に記載の飲料用グラス。
【請求項５】
印刷された情報が、ワインのブランド名である請求項２に記載の飲料用グラス。
【発明の詳細な説明】
【技術分野】
【０００１】  本発明は、飲料を確実に保持できる飲料用グラス、特にワイングラスに関する。より詳細には、本発明は、使用状況に適した最良の雰囲気を醸し出すことを可能にするワイングラスに関する。
【背景技術】
【０００２】  ワインは、家庭内、レストラン、更に小規模から大規模まで多種多様な社会的会合やイベント、飛行機、新幹線などで広く提供されている。ワインは、搾ったブドウを樽や甕に入れ天然酵母によりアルコール発酵させて製造された後、滓引きを行い樽で数ヶ月から数年間熟成しボトル詰めされて出荷される。【０００３】  ボトル詰めにされたワインは、通常、使用場所に搬送され、開封後、ワイングラスに注がれる。しかし、飛行機内や新幹線内などの移動中には振動が強く発生しやすく、ボトルからワイングラスに注ぎ入れる際に、ワイングラス外に飛び散ってロスするだけでなく、乗客の衣服に飛び散って不快な思いをさせる虞れがある。前もって、適量のワインをワイングラスに入れて準備しておくことも可能であるが、ワイングラスは複数個を一度にトレイに載せて運ばれることが多く、未熟なウェイターやウェイトレスの場合には同様にワイングラスからワインが飛び散る可能性がある。【０００４】  又、ワインは家庭内やカジュアルな飲食店から、高級ホテルなどで開催されるフォーマルな各種式典や会議まで、幅広い目的で飲用される。ワイングラスはほぼ一定の形状を有し、使用する状況に応じてワイングラスの醸し出す雰囲気を大きく変えることは困難で、グラス外面に模様を刻み付けて高級感を付与して変化させる程度である。【０００５】  しかし、ワインは、花見の莚から荘厳な宴席まで幅広く飲用されるため、ワイングラスにより、それぞれの状況に応じた印象を飲用者や参加者に与えたり、他の情報を与えることができれば、ワイングラスに単なる飲料用容器を超える有用性が付与される。
【発明の概要】
【発明が解決しようとする課題】
【０００６】  このように従来のワイングラスは、ワインの保持、及び状況適合性の面で若干の問題点を有していた。ワイン以外の飲料用グラスについても同様である。
従って、本発明の目的は、飲用直前までの飲料を確実にグラス内に保持できる飲料用グラスを提供することである。
本発明の他の目的は、それぞれの使用状況に応じた印象や他の情報を飲用者や参加者に与えることのできる飲料用グラスを提供することである。
【課題を解決するための手段】
【０００７】  前記目的を達成するために、本発明では、開口を有するグラス本体を備える飲料用グラスにおいて、当該グラスの前記開口の全周を密閉するように、当該全周に耳片付きシール蓋を貼着して、前記グラス本体内に飲料を封入する。
これにより、グラス内のワイン等の飲料が確実に封入され、輸送時や飲用前にこぼれ落ちることがなく、飲用者が飲用直前に、シール蓋の耳片を指で掴み、上方へ引き上げて前記シール蓋の全部又は一部を、前記グラスの開口から剥がすことにより、前記開口が露出して、当該開口からグラス内の飲料を飲用することが可能になる。【０００８】  封入する飲料は、ワインが好ましいが、ワイン以外にも、シャンパン、ビール、ウイスキー、梅酒、カクテル、チュウハイ、ジュース、コーヒー、紅茶、天然水などがあり、特に限定されない。
グラスの材料は、高級感を出すためにはガラスを使用するが、価格及び耐衝撃性の面からはアクリル樹脂等のプラスチックの使用が望ましい。【０００９】  前記シール蓋の外面、通常は上面に、飲用者やパーティー等の参加者に有用な情報を印刷しておくことができる。
前記シール蓋の材料は、印刷可能で耐水性を有する任意材料が使用可能で、例えばこのような材料にはアルミ箔や耐水紙がある。なお本発明では、シール蓋に直接印刷するのではなく、極薄の透明なプラスチックシートに情報を印刷し、このシートを前記シール蓋の外面に貼着させても良く、本発明の印刷にはこの態様も含まれ、この態様の場合には、シール蓋の材料は直接印刷できるものでなくても良い。【００１０】  例えば本発明のワイングラスを結婚披露宴で使用する際には、前記シール蓋に、新郎新婦のペア写真を印刷しておき、更に必要に応じて、新郎新婦の列席者への感謝のメッセージも印刷しておくと、結婚前の新郎新婦のカジュアルな姿を列席者に知らせることができるだけでなく、簡単ではあるにしても、新郎新婦の気持ちを列席者に伝えて、披露宴を盛り上げる一助とすることができる。【００１１】  本発明の飲料用グラスは、結婚披露宴以外でも、例えば誕生パーティーなどのパーティー、各種会議や会合、サッカースタジアム等でのスポーツ観戦時、観劇時、花見の席、レストランなどの飲食店、家庭などで使用できる。
著名人は自己アピールが重要であり、各種パーティーはそのための好機である。本発明の飲料用グラスのシール蓋に自身の写真を印刷したり、メッセージを印刷して列席者に供することによりその目的を達成できる。【００１２】  各種会議などでもワインなどの飲料が提供されるが、従来は通常のグラスで供されていたため、グラス自体からは何の印象も形成されなかった。しかしながら、例えば国際会議で、富士山や伝統工芸品をシール蓋に印刷したワイングラスを供すると、日本に対するポジティブなイメージを提示することができる。
更に、舞台劇、歌舞伎、寄席、映画などの際にも座席で各種飲用を飲みながら、鑑賞することが多い。このような場合にも、本発明の飲料用グラスに封入した飲料を提供すると、観客は薄暗い通路を歩いても飲料をこぼすことなく、自席に到達できる。更に主催者にとっては、シール蓋に公演内容や次回公演の予定を印刷することにより、観客への広告効果を向上させることができる。【００１３】  プロスポーツでは、いわゆるグッズ販売が売り上げに大きく貢献している。
本発明の飲料用グラスも、シール蓋に対象チームや選手の写真などを印刷し、付加価値を付した商品として販売できる。アルコール類の販売が制限されている場合には、ジュース類、コーラ類、ノンアルコールビールなどを封入すれば良い。
本発明の飲料用グラスを、例えばワイングラスとして使用する場合には、ボトルからグラスに注入されるのではなく、既にワインがグラスに封入されているため、通常ボトルのラベルに表示されるワインに関する重要な情報であるブランド名や生産年が飲用者に伝達できない。前記シール蓋にこれらの情報を印刷しておくと、飲用者はこれらの情報を考慮してワインを選択できる。【００１４】  本発明の飲料用グラスに封入される飲料はアルコール飲料に限定されるものではなく、従ってジュースなどのソフトドリンクやノンアルコールの子供用シャンパンを封入して子供の誕生パーティーに供することもできる。
【図面の簡単な説明】
【００１５】
【図１】  本発明の一実施例であるワイングラスの斜視図。
【図２】  図１のグラスからシール蓋を一部剥離した状態を示す縦断側面図。
【図３】  図３ａから図３ｃは、異なった図柄が印刷されたシール蓋の平面図。
【発明を実施するための形態】
【００１６】  以下、本発明の実施の形態を図示の実施例に基づいて説明する。
図示の通り、ワイングラス本体１は、ベース２上面に、脚３が立設され、その脚３に一体化したワイン収容部４が形成され、該ワイン収容部４は、前記脚３上端から、斜めに湾曲した後、上方に向かって延び、上縁部には、ほぼ円形の開口５が形成されている。
前記ワイン収容部４内にはワイン６が収容され、前記開口５には、該開口より若干大径になるよう成形され、かつ上面に情報が印刷されたシール蓋７が、その全周に亘って貼着されて、前記ワイン６を封入している。
飲用時には飲用者がシール蓋の耳片を指で掴み、上方へ引き上げて前記シール蓋の全部又は一部を剥がすことにより、前記開口が露出して（図２は一部を剥がした状態）、当該開口からグラス内の飲料を飲用することができる。
【００１７】  このシール蓋７は図１に示すように無地であっても良いが、図３ａから図３ｃに示すように、その上面に図柄、写真、イラストなどを印刷しておくことが好ましい。図３ａは、ワインのブランドをシール蓋に印刷して表示し、図３ｂは日本の象徴である富士山をシール蓋に印刷して国際会議などで効果的に使用でき、図３ｃでは、結婚前の男女のペア写真をシール蓋に印刷して、結婚披露宴で正装している新郎新婦のカジュアルな面を列席者に紹介して、より好ましい親近感を醸し出すことができる。
【符号の説明】
【００１８】  １  ワイングラス本体    ４  ワイン収容部    ５  開口    ６  ワイン    ７  シール蓋    ８  耳片
【図１】
2014226520.tif 000003
【図２】
2014226520.tif 000004
【図３】
2014226520.tif 000005